(57)【要約】【課題】原子力発電に関わるシステムに入力するためのデータ収集に用いられ、携帯性及び操作性に優れたデータ収集装置を提供する。【解決手段】原子力関連施設のデータを入力する入力項目を有するデータ入力画面、及び各種の選択項目を有し、前記選択項目を選択することによって所望の前記データ入力画面に案内する選択画面を表示する液晶表示パネル１２と、液晶表示パネル１２上に設けられた透明のタッチパネル１４と、タッチパネル１４の操作によって、選択項目中から１つが選択された場合に、選択された選択項目に関連する各種の選択項目を有する下位選択画面、またはデータ入力画面に切り換える画面切換手段と、タッチパネル１４の操作によって入力したデータを、データ入力画面の入力項目に表示する入力データ表示手段と、タッチパネル１４の操作によって入力されたデータを記憶するメモリと、を手のひらで携帯可能なサイズの筐体１０に収納する。【選択図】図１
2012107888.tif 000002
【特許請求の範囲】
【請求項１】
原子力関連施設における各種の管理システムに関するデータを入力するための入力項目を有するデータ入力画面、及び各種の選択項目を有し、前記選択項目を選択することによって所望の前記データ入力画面に案内する選択画面を表示する表示手段と、
当該表示手段上に設けられ、前記管理システムに関するデータの入力、及び前記選択項目の選択を行う透明のタッチパネルと、
前記選択画面が表示された前記表示手段上における前記タッチパネルの操作によって、前記選択画面に表示された各種の選択項目中のいずれか１つが選択された場合に、前記選択画面から、選択された前記選択項目に関連する各種の選択項目を有する下位選択画面、または前記データ入力画面に切り換える画面切換手段と、
前記データ入力画面が表示された前記表示手段上における前記タッチパネルの操作によって入力したデータを、前記データ入力画面の入力項目に表示する入力データ表示手段と、
前記タッチパネルの操作によって入力されたデータを記憶する記憶手段と、
を手のひらで携帯可能なサイズの筐体に収納したことを特徴とするデータ収集装置。
【請求項２】
前記表示手段に前記データ入力画面が表示された場合に、前記タッチパネルの操作によってデータ入力を行うためのキーボード画面を前記表示手段に表示させるキーボード画面表示手段を備えたことを特徴とする請求項１記載のデータ収集装置。
【請求項３】
前記選択画面は、原子力関連施設の地図画面からなり、
前記選択項目は、地図画面に表示されている表示項目からなり、
前記画面切換手段は、前記タッチパネルの操作によって、前記表示項目を選択することにより、前記下位選択画面を表示させることを特徴とする請求項１または２記載のデータ収集装置。
【発明の詳細な説明】
【技術分野】
【０００１】
本発明は、原子力発電所の業務に関するシステムに入力するデータを収集するデータ収集装置に関する。
【背景技術】
【０００２】
従来より、原子力発電所では、「計器保守管理システム」、「プラントデータ管理システム」、「統合型保全プログラム管理システム」、「当直長支援システム」、「作業票管理システム」、「線量管理システム」などの、原子力業務に関するシステムが稼動している。これらのシステムへ入力するデータは、現場に出向いて採取するが、その入力デバイスとして専用入力ツールやノート型パソコンが利用されている。
【０００３】
また、従来における、この種の技術としては、特許文献１に記載された技術がある。特許文献１には、ハンディーターミナルやノート型パソコンタイプなどの可搬式データ収集装置を用いてプラントからデータを収集することについて記載されている。
【先行技術文献】
【特許文献】
【０００４】
【特許文献１】特開平６−２４２２８１号公報
【発明の概要】
【発明が解決しようとする課題】
【０００５】
従来のように、専用入力ツールやノート型パソコンを現場に持ち運んでデータ採取を行うことにより、データ採取にかかる手間を省くことができる。しかしながら、専用入力ツールやノート型パソコンを現場に持ち運ぶことは手間が掛かり、複数の現場を持ち運ぶことは大きな労力がかかる。また、専用入力ツールにおいては、データを収集する順番が規定されており、順番通りに現場に行く必要があり、使用者の都合に応じて現場を移動することができなかった。このため、携帯性及び操作性に優れ、現場のニーズにあった対応が可能なデータ収集装置の出現が望まれる。
【０００６】
本発明は、このような課題を解決し、携帯性及び操作性に優れ、現場のニーズにあった対応が可能なデータ収集装置を提供することを目的とする。
【課題を解決するための手段】
【０００７】
本発明は、前記目的を達成するために、次に記載する構成を備えている。
【０００８】
（１）  原子力関連施設における各種の管理システムに関するデータを入力するための入力項目を有するデータ入力画面、及び各種の選択項目を有し、前記選択項目を選択することによって所望の前記データ入力画面に案内する選択画面を表示する表示手段と、当該表示手段上に設けられ、前記管理システムに関するデータの入力、及び前記選択項目の選択を行う透明のタッチパネルと、前記選択画面が表示された前記表示手段上における前記タッチパネルの操作によって、前記選択画面に表示された各種の選択項目中のいずれか１つが選択された場合に、前記選択画面から、選択された前記選択項目に関連する各種の選択項目を有する下位選択画面、または前記データ入力画面に切り換える画面切換手段と、前記データ入力画面が表示された前記表示手段上における前記タッチパネルの操作によって入力したデータを、前記データ入力画面の入力項目に表示する入力データ表示手段と、前記タッチパネルの操作によって入力されたデータを記憶する記憶手段と、を手のひらで携帯可能なサイズの筐体に収納したことを特徴とするデータ収集装置。
【０００９】
（１）によれば、手のひらで携帯可能なサイズであるため現場への持ち込みが容易に可能となり、また、現場に対応するデータ入力画面をタッチパネルの操作で表示させ、さらに、データ入力画面の各種の項目、タッチパネルの操作によってデータ入力を行うことによってデータ収集を行うことができる。このため、例えば、データ収集のために移動する現場の順番を、任意に設定できようになり、現場のニーズにあったデータ収集装置を提供することが可能になる。
【００１０】
（２）  （１）において、前記表示手段に前記データ入力画面が表示された場合に、前記タッチパネルの操作によってデータ入力を行うためのキーボード画面を前記表示手段に表示させるキーボード画面表示手段を備えたことを特徴とするデータ収集装置。
【００１１】
（２）によれば、データ入力画面が表示された場合にキーボード画面が表示されるために、キーボード画面を表示させる手間を省くことができる。
【００１２】
（３）  （１）、（２）において、前記選択画面は、原子力関連施設の地図画面からなり、前記選択項目は、地図画面に表示されている表示項目からなり、前記画面切換手段は、前記タッチパネルの操作によって、前記表示項目を選択することにより、前記下位選択画面を表示させることを特徴とするデータ収集装置。
【００１３】
（３）によれば、選択項目が、ビジュアル的に表示されるため、例えば、施設の名称を正確に知らなくても、最終的にデータ入力画面に到達することができる。これにより、原子力関連施設における経験が浅い作業員であっても扱いやすいデータ収集装置を提供することができる。
【発明の効果】
【００１４】
本発明によれば、原子力発電に関わるシステムに入力するためのデータ収集に用いられ、携帯性及び操作性に優れ、現場のニーズにあった対応が可能なデータ収集装置を提供することが可能になる。
【図面の簡単な説明】
【００１５】
【図１】本発明の一実施形態におけるデータ収集装置の外観を示す正面図である。
【図２】本発明の一実施形態におけるデータ収集装置の電気的構成を示すブロック図である。
【図３】プラントデータ管理システムに入力するデータを収集するためのデータ収集装置に表示されるメニュー画面を示す説明図である。
【図４】プラントデータ管理システムに入力するデータを収集するためのデータ収集装置に表示される第１場所選択用画面を示す説明図である。
【図５】プラントデータ管理システムに入力するデータを収集するためのデータ収集装置に表示される第２場所選択用画面を示す説明図である。
【図６】プラントデータ管理システムに入力するデータを収集するためのデータ収集装置に表示されるデータ入力画面を示す説明図である。
【図７】計器保守管理システムに入力するデータを収集するためのデータ収集装置に表示されるメニュー画面を示す説明図である。
【図８】計器保守管理システムに入力するデータを収集するためのデータ収集装置に表示される計器検索画面を示す説明図である。
【図９】計器保守管理システムに入力するデータを収集するためのデータ収集装置に表示される検索結果画面を示す説明図である。
【図１０】計器保守管理システムに入力するデータを収集するためのデータ収集装置に表示される計器仕様確認・入力画面を示す説明図である。
【図１１】計器保守管理システムに入力するデータを収集するためのデータ収集装置に表示される計器点検データ入力画面を示す説明図である。
【図１２】計器保守管理システムに入力するデータを収集するためのデータ収集装置に表示される撮影モード画面を示す説明図である。
【図１３】計器保守管理システムに入力するデータを収集するためのデータ収集装置に表示される備考入力画面を示す説明図である。
【図１４】プラントデータ管理システムに入力するデータを収集するためのデータ収集装置に表示されるメニュー画面の他例を示す説明図である。
【発明を実施するための形態】
【００１６】
以下、本発明の一実施形態について、図面を参照しながら詳細に説明する。
図１は、本発明の一実施形態におけるデータ収集装置の外観を示す正面図である。データ収集装置１は、筐体１０、表示手段に相当する液晶表示パネル１２及びタッチパネル１４を備えており、いわゆるスマートフォンと称される携帯機器の機能を備えている。
【００１７】
筐体１０は、正面が略長方形で厚さが約１０ｍｍ程度の略直方体型のケースである。この筐体１０の内部には、図示しない各種の回路基板、マイク、スピーカ、撮影レンズ、電池などが収納されている。また、筐体１０の正面中央部には、液晶表示パネル１２が配置されており、この液晶表示パネル１２上には、透明のタッチパネル１４が配置されている。このため、データ収集装置１は手のひらサイズに構成されており、液晶表示パネル１２の表示画面は、タッチパネル１４を介して使用者に視認される。
【００１８】
図２は、本発明の一実施形態におけるデータ収集装置の電気的構成を示すブロック図である。図２において、ＣＰＵ２０は、データ収集装置１全体を制御するものである。ＣＰＵ２０には、液晶表示パネル１２、タッチパネル１４、内蔵メモリ２２、フラッシュメモリ２４、電話通信部２６、赤外線通信部２８及び撮影部３０が接続されている。
【００１９】
液晶表示パネル１２は、詳細については後述するが、各種の選択画面やデータ入力画面の表示を行うものである。
【００２０】
タッチパネル１４は、タッチパネル１４上において使用者の指が触れた位置を検出するものであり、検出データは、ＣＰＵ２０に送られる。例えば、液晶表示パネル１２に選択画面が表示されている場合において、使用者が、タッチパネル１４における選択画面に表示された選択項目上の部位を触接した際に、ＣＰＵ２０は、タッチパネル１４における触接部位に対応する選択項目を求め、この選択項目に対応する処理を実行する。また、ＣＰＵ２０は、タッチパネル１４上における指の動きを検出し、指の動きに対応した処理を実行する。例えば、タッチパネル１４に指を触接させたまま指を動かすことにより、指の動きに応じて液晶表示パネル１２の表示画面を移動させることが可能である。
【００２１】
内蔵メモリ２２は、筐体１０に内蔵されたメモリであり、フラッシュメモリ２４は、筐体１０に設けられたスロット（図示せず）に外部から挿入する外部メモリである。内蔵メモリ２２及びフラッシュメモリ２４には、例えば、データ収集装置１に特定機能を実行させるアプリケーションソフトウェアや、文書データ、音声データ、画像データなど、各種のデータが記憶される。
【００２２】
電話通信部２６は、携帯電話通信網に接続して相手先と通話を行ったり、携帯電話通信網を介してインターネット網に接続して、インターネット網に接続されている端末との間で、例えば、電子メールの送受信を行ったりするものである。
【００２３】
赤外線通信部２８は、データ収集装置１に記憶されているデータを、赤外線通信によって通信相手先に転送させるものである。
【００２４】
撮影部３０は、撮影レンズ（図示せず）を介して撮影データを取り込むものである。この撮影データは、ＣＰＵ２０によってデジタル化され、内蔵メモリ２２あるいはフラッシュメモリ２４に保存される。
【００２５】
次に、データ収集装置１の液晶表示画面について説明する。データ収集装置１に電源を投入した後、液晶表示パネル１２には、図１に示す初期画面が表示される。この初期画面には、アイコン１６が表示されている。アイコン１６は、データ収集装置１にインストールされているアプリケーションソフトウェアに対応しており、アイコン１６の直上のタッチパネル１４の部位をタッピングすることにより、アイコン１６に対応するアプリケーションソフトウェアが起動し、データ収集装置１は、アプリケーションソフトウェアによって実行される処理によって所定の機能を果たすようになる。なお、以下の説明において、例えば、アイコン１６の直上のタッチパネル１４の部位をタッピングすることを、単に、アイコン１６をタッピングする、と記載する。また、液晶表示パネル１２に表示される選択項目についても同様に記載することにする。
【００２６】
本実施形態においては、データ収集装置１を、プラントデータ管理システムに入力するデータを収集するためのデータ収集装置として機能させるアプリケーションソフトウェアと、計器保守管理システムに入力するデータを収集するためのデータ収集装置として機能させるアプリケーションソフトウェアとが、内蔵メモリ２２またはフラッシュメモリ２４にインストールされている。ここで、プラントデータ管理システムとは、原子力関連施設における各種プラントを管理するシステムであり、計器保守管理システムは、原子力関連施設で使用されている計器の保守管理を行うためのシステムである。
【００２７】
また、データ収集装置１は、プラントデータ管理システム及び計器保守管理システムのサーバ（図示せず）に対して、携帯電話回線を介してアクセスすることが可能である。これにより、データ収集装置１を用いてデータを収集した後、携帯電話回線を介してサーバ（図示せず）にアクセスし、収集データをサーバにアップロードする。これにより、データ収集装置１の収集データをプラントデータ管理システムまたは計器保守管理システムに入力することが可能になる。
【００２８】
また、図２に示すように、ＣＰＵ２０は、表示制御部、タッチパネル制御部、電話通信制御部として機能する。
【００２９】
表示制御部は、液晶表示パネル１２に表示させる表示データを作成して、この表示データに基づいて液晶表示パネル１２に画像を表示させる処理を行うものである。具体的に、表示制御部は、画面切換手段、入力データ表示手段、キーボード画面表示手段として処理を実行する。
【００３０】
画面切換手段は、詳細については後述するが、液晶表示パネル１２に表示されている画面を切り換える処理を行う。例えば、図３に示すメニュー画面５０が表示された液晶表示パネル１２上におけるタッチパネル１４の操作によって、メニュー画面５０に表示された各種の選択項目５２中のいずれか１つが選択された場合に、メニュー画面５０から、選択された選択項目５２に関連する各種の選択項目６２を有する下位選択画面に相当する第１場所選択用画面６０に切り換える処理、図４に示す第１場所選択用画面６０から図５に示す第２場所選択用画面７０に切り換える処理、さらには、図５に示す第２場所選択用画面７０から図６に示すデータ入力画面８０に切り換える処理などを行う。
【００３１】
キーボード画面表示手段は、液晶表示パネル１２に表示される画面の種類やタッチパネル１４の操作に応じて、液晶表示パネル１２にキーボード画面に相当するソフトキーボードを表示するものである。このソフトキーボードは、例えば、パーソナルコンピュータに接続されているキーボードと同様の機能を果たすものであり、ソフトキーボード上においてタッチパネル１４を操作することによって、文字データの入力が可能になる。
【００３２】
入力データ表示手段は、タッチパネル１４を操作することによって入力されたデータを、液晶表示パネル１２に表示する処理を行うものである。例えば、図６に示すデータ入力画面８０において、ソフトキーボード８６の操作によって入力した文字データを、入力枠８４内に表示させるものである。
【００３３】
タッチパネル制御部は、使用者によるタッチパネル１４の触接位置や、タッチパネル１４を操作する使用者の指の動きを検知し、タッチパネル１４の触接位置及び指の動きに対応する処理を実行するものである。例えば、図１に示すアイコン１６の直上のタッチパネル１４の部位をタッピングすることによって、アイコン１６に対応するアプリケーションソフトウェアが起動される。
電話通信制御部は、例えば、通話相手に対する発信制御や、通話相手から着信があった場合に着信制御、さらにデータの送受信制御を行うものである。
【００３４】
［プラントデータ管理システムのデータ収集］
図３は、プラントデータ管理システムに入力するデータを収集するためのアプリケーションソフトウェアを起動した場合に、液晶表示パネルに表示されるメニュー画面を示す説明図である。
【００３５】
図３に示すように、メニュー画面５０には、複数の選択項目５２が表示されている。具体的に、「１号機」、「２号機」、「３号機」、「サイトバンカ」、「純水・水ろ過」などの選択項目５２が表示される。なお、「１号機」、「２号機」、「３号機」、「サイトバンカ」及び「純水・水ろ過」は、原子力発電所内に建てられているプラントである。ここで、例えば、「１号機」をタッピングすると、図４に示す第１場所選択用画面６０が液晶表示パネル１２に表示される。
【００３６】
図４に示すように、第１場所選択用画面６０には、複数の選択項目６２が表示されている。具体的に、「中央制御室」、「補助盤室」、「原子炉建物」、「タービン建物」などの選択項目６２が表示される。また、選択項目６２の上部には、図３に示すメニュー画面５０でタッピングした選択項目が表示される。本実施形態においては、「１号機」と表示される。なお、「中央制御室」、「補助盤室」、「原子炉建物」及び「タービン建物」は、１号機の施設である。ここで、例えば、「中央制御室」をタッピングすると、図５に示す第２場所選択用画面７０が液晶表示パネル１２に表示される。
【００３７】
図５に示すように、第２場所選択用画面７０には、複数の選択項目７２が表示されている。具体的に、「９０３盤」、「９０４盤」などの選択項目７２が表示される。また、選択項目７２の上部には、図３に示すメニュー画面５０及び図４に示す第１場所選択用画面６０でタッピングした選択項目が表示される。本実施形態においては、「１号機＞中央制御室」と表示される。なお、「９０３盤」、「９０４盤」は、中央制御室に配備されている制御盤である。ここで、例えば、「９０３盤」をタッピングすると、図６に示すデータ入力画面８０が液晶表示パネル１２に表示される。このように、メニュー画面５０、第１場所選択用画面６０及び第２場所選択用画面７０は、選択画面に相当し、特に、第１場所選択用画面６０及び第２場所選択用画面７０は、下位選択画面に相当する。
【００３８】
図６に示すように、データ入力画面８０には、複数の入力項目８２及び入力枠８４が表示されている。具体的に、「○○ポンプ電流」、「○○ポンプ出口圧力」及び「○○ポンプ出口温度」などの入力項目８２が表示され、各入力項目８２の側方に入力枠８４が表示される。また、入力項目８２の上部には、図３に示すメニュー画面５０、図４に示す第１場所選択用画面６０及び図５に示す第２場所選択用画面７０でタッピングした選択項目が表示される。本実施形態においては、「１号機＞中央制御室＞９０３盤」と表示される。また、入力項目８２の上部には、「戻る」と表示されており、この「戻る」をタッピングすると、図５に示す画面に戻る。また、各入力項目８２の下方には、ソフトキーボード８６が表示される。なお、「９０３盤」、「９０４盤」は、中央制御室に配備されている制御盤である。
【００３９】
データ入力画面８０に切り換わった直後においては、複数の入力項目８２において最上位に表示されている入力項目の入力枠８４にカーソルが表示されている。図６において、「○○ポンプ電流」の入力枠８４にカーソルが表示されている。また、データ入力画面８０に切り換わった直後において、ソフトキーボード８６が自動的に表示される。使用者は、９０３盤から「○○ポンプ電流」を読み取り、ソフトキーボード８６をタッピングすることにより、また、カーソルが表示されている入力枠８４に読取値が入力表示される。入力後に、「次へ」をタッピングすると、次の入力枠８４にカーソルが移動する。そして、全ての入力枠８４にデータを入力した後、「完了」をタッピングすると、ソフトキーボード８６が消えるとともに、入力データが内蔵メモリ２２またはフラッシュメモリ２４に保存される。なお、図示していないが、ソフトキーボード８６が消えても、データ入力画面８０には、ソフトキーボード８６を起動させるためのアイコンが表示されており、このアイコンをタッピングすることにより、再度ソフトキーボード８６を表示させることが可能である。
【００４０】
［計器保守管理システムのデータ収集］
図７は、計器保守管理システムに入力するデータを収集するためのアプリケーションソフトウェアを起動した場合に表示されるメニュー画面を示す説明図である。
【００４１】
図７に示すように、メニュー画面９０には、複数の選択項目９２が表示されている。具体的に、「計器検索」、「計器登録・削除」、「計器リスト作成」、「オプション」などの選択項目９２が表示される。複数の選択項目９２の中のいずれか１つをタッピングすると、液晶表示パネル１２の表示画面が、選択項目に対応する選択画面あるいはデータ入力画面に切り換わる。例えば、「計器検索」をタッピングすると、図８に示す計器検索画面１００が液晶表示パネル１２に表示される。
【００４２】
図８に示すように、計器検索画面１００には、計器の系統番号を入力する入力枠１０４が表示されている。また、入力枠１０４の下部に、複数の入力候補を表示する入力候補選択メニュー画面１０６が表示される。入力候補選択メニュー画面１０６においては、入力候補が上下に並んで表示されており、選択対象の入力候補上には、カーソル１０８が位置付けられる。
【００４３】
そして、使用者は、カーソル１０８上のタッチパネル１４の部位を指で触接しながら指を上下することによって、カーソル１０８は上下に移動して選択対象が切り換えられる。また、使用者が、入力候補選択メニュー画面１０６上のタッチパネル１４の部位を指で上下に弾くような動作をした場合には、入力候補の表示が上下にスクロールされる。このような操作によって所望の入力候補にカーソル１０８が位置付けられた状態で、「完了」をタッピングすると、入力枠１０４に入力候補の番号が入力される。図８においては、入力候補選択メニュー画面１０６において、「０３  ＣＷ」にカーソル１０８が位置しており、この状態で「完了」をタッピングすると、入力枠１０４に「０３」と入力される。また、「完了」をタッピングすると、入力候補選択メニュー画面１０６が消え、「検索」というキー画像（図示せず）が表示される。この「検索」をタッピングすると、図９に示す検索結果画面１１０が液晶表示パネル１２に表示される。
【００４４】
図９に示すように、検索結果画面１１０には、検索された計器名が上下方向に並ぶようにリスト表示される。そして、使用者は、検索結果画面１１０上のタッチパネル１４の部位を指で触接しながら指を上下することによって、リスト表示が上下に移動する。また、使用者が、入力候補選択メニュー画面１０６上のタッチパネル１４の部位を指で上下に弾く動作をした場合には、リスト表示が、所定数の計器名の表示分だけ上下にスクロールされる。また、検索結果画面１１０の右端には、上下に延びるバー１１４が表示されており、このバー１１４には、アルファベットが表示されている。使用者は、バー１１４の所定の文字をタッピングすると、タッピングした文字を頭文字とする計器名１１２がリスト表示される。例えば、バー１１４に表示されている「Ｐ」をタッピングすると、図９に示すように、「Ｐ」を頭文字とする計器名１１２がリスト表示される。
【００４５】
このような使用者によるタッチパネル１４の操作によってリスト表示を切り換え、使用者が検索対象の計器名１１２を見いだした場合に、その計器名１１２をタッピングすると、計器名１１２の計器仕様確認・入力画面が表示される。例えば、図９に示すリスト表示において、「ＰＩ０１−１００Ａ」をタッピングすると、図１０に示す「ＰＩ０１−１００Ａ」の計器仕様確認・入力画面１２０が液晶表示パネル１２に表示される。
【００４６】
図１０に示すように、計器仕様確認・入力画面１２０には、計器名、仕様項目が表示されている。図１０に示す計器仕様確認・入力画面１２０においては、計器名として、図９に示す検索結果画面１１０において選択した計器名が表示され、仕様項目として、「測定点名称」、「メーカー」、「型式」、「製造番号」、「測定レンジ」及び「（測定レンジの）単位」などが表示される。また、仕様項目の側方に、仕様情報を表示する入力枠１２４が表示されている。さらに、入力枠１２４の側方にチェック枠１２６が表示されている。入力枠１２４には、デフォルトで前回データが表示される。すなわち、計器使用は現物を取り換えない限り、基本的に変わらないため、入力枠１２４にデフォルトで前回データを表示させることによって、入力枠１２４にデータ入力をする手間が省ける。また、チェック枠１２６をタッピングすることにより、チェック枠１２６にチェック印が表示される。
【００４７】
そして、使用者は、計器仕様確認・入力画面１２０を見て仕様を確認し、チェック枠１２６にチェック印を入れた後に、タッチパネル１４上を指で横に弾く動作を行うことにより、図１１に示す計器点検データ入力画面１３０が表示される。
【００４８】
図１１に示すように、計器点検データ入力画面１３０には、入力するデータの種類名が表示されており、さらにデータの入力枠１３２、１３４が表示されている。図１１に示す計器点検データ入力画面１３０は、計器が圧力計である場合を示すものであり、入力枠１３２には圧力計に入力した圧力の値が入力され、入力枠１３４には圧力計による測定値が入力される。
【００４９】
また、計器点検データ入力画面１３０には、「計算」というキー画像が表示されており、この「計算」をタッピングすることにより、誤差計算が行われる。誤差計算の結果、基準値から外れている場合には、計器点検データ入力画面１３０にエラー表示が行われる。
【００５０】
なお、圧力計に入力した圧力値や圧力計による測定値の入力には、図６に示すソフトキーボード８６を利用する。ここで、計器点検データ入力画面１３０には、ソフトキーボード８６（図６参照）を表示させるアイコン（図示せず）が表示されており、このアイコン（図示せず）をタッピングすることによってソフトキーボード８６（図６参照）を表示させることができる。
【００５１】
また、計器点検データ入力画面１３０には、撮影モードに切り換えるアイコン（図示せず）や、備考を記録するための備考入力画面を表示させるアイコン（図示せず）が表示されている。
【００５２】
使用者は、撮影モードに切り換えるアイコン（図示せず）をタッピングすることにより、撮影モードに切り換わり、図１２に示すように、計器（圧力計）を撮影することができる。撮影データは、点検対象の計器（ＰＩ０１−１００Ａ）に関連づけられ、点検記録の一部として内蔵メモリ２２またはフラッシュメモリ２４に保存される。撮影モードを終了させると、図１１に示す計器点検データ入力画面１３０が液晶表示パネル１２に表示される。
【００５３】
また使用者は、備考を記録するための備考入力画面を表示させるアイコン（図示せず）をタッピングすることにより、図１３に示すように、備考入力画面１４０が表示される。そして、ソフトキーボードを表示させて、点検の際に気付いたことを自由に書き込む。備考入力画面１４０において書き込まれた文書データは、点検対象の計器（ＰＩ０１−１００Ａ）に関連づけられ、点検記録の一部として内蔵メモリ２２またはフラッシュメモリ２４に保存される。備考入力画面１４０を消すことにより、図１１に示す計器点検データ入力画面１３０が液晶表示パネル１２に表示される。
【００５４】
以上、説明したように本実施形態によれば、手のひらで携帯可能なサイズであるため現場への持ち込みが容易に可能となり、また、現場に対応するデータ入力画面８０をタッチパネル１４の操作で表示させ、さらに、データ入力画面８０の各種の入力項目に対して、タッチパネル１４の操作によってデータ入力を行うことにより、容易にデータ収集を行うことができる。
【００５５】
また、データ入力画面８０が表示された場合にソフトキーボード８６が表示されるために、ソフトキーボード８６を表示させる手間を省くことができる。
【００５６】
また、プラントデータ管理システムまたは計器保守管理システムへのデータ入力は、赤外線通信や携帯電話回線を用いた通信など、無線で通信することができる。特に、携帯電話回線を用いて収集データをシステムに転送できるため、データ収集装置１を、システム端末がある場所まで持ち歩く必要がなくなる。
【００５７】
また、いわゆる、スマートフォンを操作する感覚でデータ収集装置１を操作することができるため、操作性が良く、データ入力に熟練性が必要なくなる。
【００５８】
以上、本発明の実施形態について説明したが、本発明は、上述した実施形態に限るものではない。例えば、本実施形態においては、プラントデータ管理システムに入力するデータを収集するためのアプリケーションソフトウェアを起動した場合に、図３に示すような選択項目５２が並んで表示されるメニュー画面５０が表示されるが、それに限らず、図１４に示すように、原子力発電プラントの配置を示す地図を表示させる。そして、地図に記載されているプラントをタッピングすることにより、図４に示す第１場所選択用画面６０に切り換えてもよい。例えば、図１４に示す地図に記載されている「１号機」をタッピングすることにより、図４に示す第１場所選択用画面６０に切り換えてもよい。
【００５９】
このように、図３に示すメニュー画面５０の代わりに図１４に示す地図を表示することにより、選択項目が、ビジュアル的に表示されるため、例えば、施設の名称を正確に知らなくても、最終的にデータ入力画面に到達することができる。これにより、原子力関連施設における経験が浅い作業員であっても扱いやすいデータ収集装置１を提供することができる。
【符号の説明】
【００６０】
１  データ収集装置
１０  筐体
１２  液晶表示パネル
１４  タッチパネル
１６  アイコン
２０  ＣＰＵ
２２  内蔵メモリ
２４  フラッシュメモリ
２６  電話通信部
２８  撮影部
５０  メニュー画面
５２  選択項目
６０  第１場所選択用画面
６２、７２、９２  選択項目
７０  第２場所選択用画面
８０  データ入力画面
８２  入力項目
８４、１２４、１３２、１３４  入力枠
８６  ソフトキーボード
９０  メニュー画面
１００  計器検索画面
１０６  入力候補選択メニュー画面
１０８  カーソル
１１０  検索結果画面
１１２  計器名
１１４  バー
１１６  チェック枠
１２０  入力画面
１３０  計器点検データ入力画面
１４０  備考入力画面
【図１】
2012107888.tif 000003
【図２】
2012107888.tif 000004
【図３】
2012107888.tif 000005
【図４】
2012107888.tif 000006
【図５】
2012107888.tif 000007
【図６】
2012107888.tif 000008
【図７】
2012107888.tif 000009
【図８】
2012107888.tif 000010
【図９】
2012107888.tif 000011
【図１０】
2012107888.tif 000012
【図１１】
2012107888.tif 000013
【図１２】
2012107888.tif 000014
【図１３】
2012107888.tif 000015
【図１４】
2012107888.tif 000016